(57)【特許請求の範囲】
【請求項１】
上面に第１窓部が設けられ、この上面と直交する側面に第２窓部が設けられた機器ケースと、この機器ケース内に前記第１窓部と前記第２窓部とに対応して配置された光学素子と、前記機器ケース内に設けられて前記光学素子の入射面に光を照射する発光素子とを備えた電子機器であって、
前記光学素子は、中心軸に沿う一端側に位置する入射面から光を採り込み、この採り込んだ光を前記中心軸に沿う他端側に位置する出射面から放出する柱状部材と、この柱状部材の内部に設けられ、前記入射面から入射した光の一部を前記中心軸に対してほぼ直交する方向に向けて反射する反射面を形成するための空間部と、を備え、前記柱状部材の前記出射面から放出された光を前記第１窓部に照射させ、前記反射面で反射された光を前記第２窓部に照射させ、
前記機器ケースは、前記第１窓部が上面に設けられた上部ケースと、この上部ケースの下部に取り付けられて前記第２窓部が側面に設けられた下部ケースと、前記上部ケースおよび前記下部ケースの内部に設けられた中ケースとを備え、この中ケースに前記光学素子および前記発光素子が設けられ、
前記上部ケース側に、前記光学素子における前記柱状部材の前記出射面から放出された光を前記第１窓部に導く第１導光部が配置されており、
前記下部ケース側に、前記光学素子における前記柱状部材の前記反射面で反射された光を前記第２窓部に導く第２導光部が配置されていることを特徴とする電子機器。
【請求項２】
請求項１に記載の電子機器において、前記光学素子における前記柱状部材の前記出射面と前記第１導光部との間には、光透過性を有する第１光学ゲルが配置されており、前記光学素子における前記柱状部材の前記反射面で反射された光が放出される箇所に位置する前記柱状部材の側面と前記第２導光部との間には、光透過性を有する第２光学ゲルが配置されていることを特徴とする電子機器。
【発明の詳細な説明】
【技術分野】
【０００１】
この発明は、電子機器に関する。
【背景技術】
【０００２】
従来、光源からの光を２方向に分光する光学素子においては、特許文献１に記載されているように、光を透過する光透過部材が垂直部とこの垂直部の上端部に設けられた水平部とで形成され、垂直部の下端面から光を採り込み、この採り込んだ光の一部を垂直部の一側面に設けられた反射面で斜め上方に向けて反射させて水平部に隣接する垂直部の側面から放出させると共に、採り込んだ光のうち、残りの光を垂直部から水平部に透過させて水平部の上面から放出させるように構成されたものが知られている。
【先行技術文献】
【特許文献】
【０００３】
【特許文献１】特開平０８−１８４７１３号公報
【発明の概要】
【発明が解決しようとする課題】
【０００４】
しかしながら、このような従来の光学素子では、垂直部の一側面に反射面を設け、この反射面で光を斜め上方に向けて反射させる構成であるから、反射面に対向する垂直部の側面から十分に光を放出することができず、水平部の上面から放出される光量と、垂直部の側面から放出される光量とに、大きな差が生じるという問題があるほか、水平部の上面と垂直部の側面とが交差する角部付近のみの輝度が高く、この角部から離れるに従って徐々に輝度が低くなるという問題もある。
【０００５】
なお、このような問題を解消するためには、光透過部材に入射した光を反射面に向けて反射させるための他の反射面を設け、この他の反射面で反射した光を垂直部の一側面の反射面で、光透過部材に入射した光の進行方向に対してほぼ直交する方向に向けて反射させるように構造にしたり、また垂直部の外部に反射板を設置し、垂直部内の光を外部の反射板に照射させ、その反射光を再び垂直部内に採り込んで垂直部の側面から放出させる構造にしたりする必要がある。このため、光学素子の形状や構造が複雑になり、製作コストが高くなるという問題が生じる。
【０００６】
この発明が解決しようとする課題は、効率良く光を２方向に分光させて所定箇所を良好に光らせることができると共に、組立精度のバラツキによる影響が少なく、光学素子の光路を良好に確保できるようにすることである。
【課題を解決するための手段】
【０００７】
この発明は、上記課題を解決するために、次のような構成要素を備えている。
請求項１に記載の発明は、上面に第１窓部が設けられ、この上面と直交する側面に第２窓部が設けられた機器ケースと、この機器ケース内に前記第１窓部と前記第２窓部とに対応して配置された光学素子と、前記機器ケース内に設けられて前記光学素子の入射面に光を照射する発光素子とを備えた電子機器であって、
前記光学素子は、中心軸に沿う一端側に位置する入射面から光を採り込み、この採り込んだ光を前記中心軸に沿う他端側に位置する出射面から放出する柱状部材と、この柱状部材の内部に設けられ、前記入射面から入射した光の一部を前記中心軸に対してほぼ直交する方向に向けて反射する反射面を形成するための空間部と、を備え、前記柱状部材の前記出射面から放出された光を前記第１窓部に照射させ、前記反射面で反射された光を前記第２窓部に照射させ、
前記機器ケースは、前記第１窓部が上面に設けられた上部ケースと、この上部ケースの下部に取り付けられて前記第２窓部が側面に設けられた下部ケースと、前記上部ケースおよび前記下部ケースの内部に設けられた中ケースとを備え、この中ケースに前記光学素子および前記発光素子が設けられ、
前記上部ケース側に、前記光学素子における前記柱状部材の前記出射面から放出された光を前記第１窓部に導く第１導光部が配置されており、
前記下部ケース側に、前記光学素子における前記柱状部材の前記反射面で反射された光を前記第２窓部に導く第２導光部が配置されていることを特徴とする電子機器である。
【発明の効果】
【００１３】
この発明によれば、効率良く光を２方向に分光させて所定箇所を良好に光らせることができると共に、組立精度のバラツキによる影響が少なく、光学素子の光路を良好に確保することができる。
【図面の簡単な説明】
【００１４】
【図１】この発明を携帯情報末機に適用した実施形態１を示した正面図である。
【図２】図１に示された携帯情報端末機におけるインジケータ表示部付近を示した要部の拡大斜視図である。
【図３】図２に示された携帯情報端末機のＡ−Ａ矢視における要部を破断して示した拡大斜視図である。
【図４】図３に示された携帯情報端末機の光学装置を示した要部の拡大斜視図である。
【図５】図４に示された光学装置の一部を破断して示した拡大斜視図である。
【図６】図４に示された光学装置を背面側から見て示した拡大背面図である。
【図７】図４に示された光学装置の光学素子を真上から見てその光学素子と発光素子との対応関係を示した拡大平面図である。
【図８】図６に示された光学装置のＢ−Ｂ矢視における要部の拡大断面図である。
【図９】図４の示された光学装置の光路状態を示し、（ａ）はその光学装置を側面側から見た光路図、（ｂ）はその光学装置を背面側から見た光路図である。
【図１０】この発明を携帯情報末機に適用した実施形態２における光学装置を示した拡大斜視図である。
【図１１】図１０に示された光学装置を背面側から見て示した拡大背面図である。
【図１２】図１１に示された光学装置のＣ−Ｃ矢視における要部の拡大断面図である。
【発明を実施するための形態】
【００１５】
（実施形態１）
以下、図１〜図９を参照して、この発明を携帯情報端末機に適用した実施形態１について説明する。
この携帯情報端末機は、図１〜図３に示すように、機器ケース１を備えている。この機器ケース１は、上部ケース２と、この上部ケース２の下部に取り付けられた下部ケース３と、上部ケース２および下部ケース３の内部に設けられた中ケース４とを備えている。
【００１６】
この機器ケース１の内部には、表示部５およびキー入力部６が上部ケース２の上面側に露出した状態で設けられている。表示部５は、液晶表示パネルやＥＬ（エレクトロルミネッセンス）表示パネルなどの平面的な表示パネルからなり、情報処理に伴う各種の情報を電気光学的に表示するように構成されている。キー入力部６は、文字キー、カーソルキー、ファンクションキーなどの情報処理に必要な各種のキーを備えている。
【００１７】
また、この機器ケース１の上辺部に位置する一方の角部（図２では手前側の角部）には、図２および図３に示すように、複数のインジケータ表示部７が設けられている。この複数のインジケータ表示部７は、図２に示すように、上部ケース２の上面に設けられた複数の第１窓部８ａ、８ｂと、下部ケース３の側面に設けられた複数の第２窓部９ａ、９ｂと、機器ケース１内に設けられて複数の第１、第２の各窓部８ａ、８ｂ、９ａ、９ｂを点灯させるための光学装置１０を備えている。
【００１８】
この場合、上部ケース２の上面における縁部には、図２および図３に示すように、ＰＥＴ（ポリエチレンテレフタレート）などの透明な表示パネル７ａが設けられており、この表示パネル７ａの下面には、光を遮断する印刷層が設けられている。また、この表示パネル７ａには、各第１窓部８ａ、８ｂに対応する光透過孔がそれぞれ設けられている。これにより、表示パネル７ａには、光透過孔である第１窓部８ａ、８ｂが、下部ケース３の側面に設けられた第２窓部９ａ、９ｂにそれぞれ対応して設けられている。
【００１９】
一方、光学装置１０は、図３および図４に示すように、上部ケース２の上面に設けられた一方（図３では右手前側）に位置する第１窓部８ａ、およびこれに対応する下部ケース３の側面に設けられた一方（図３では右手前側）に位置する第２窓部９ａを同時に点灯させる第１光学系１０ａと、上部ケース２の上面に設けられた他方（図３では左奥側）に位置する第１窓部８ａ、およびこれに対応する下部ケース３の側面に設けられれた他方（図３では左奥側）に位置する第２窓部９ａを同時に点灯させる第２光学系１０ｂとを備えている。
【００２０】
第１光学系１０ａは、図３および図４に示すように、ＬＥＤ（発光ダイオード）などの発光素子１１と、この発光素子１１に対応する光学素子１２と、この光学素子１２と第１窓部８ａとの間に配置された第１導光部１３と、光学素子１２と第２窓部９ａとの間に配置された第２導光部１４とを備えている。
【００２１】
また、第２光学系１０ｂは、第１光学系１０ａと同様、ＬＥＤ（発光ダイオード）などの発光素子１５と、この発光素子１５に対応する光学素子１６と、この光学素子１６と第１窓部８ｂとの間に配置された第１導光部１７と、光学素子１６と第２窓部９ｂとの間に配置された第２導光部１８とを備えている。
【００２２】
この場合、第１光学系１０ａの発光素子１１と第２光学系１０ｂの発光素子１５とは、図３に示すように、中ケース４の下面に設けられて下部ケース３内の側面に向けて延出された基板２０上に設けられている。また、第１光学系１０ａの光学素子１２と第２光学系１０ｂの光学素子１６とは、図４に示すように、連結部２１によって一体に連結されて形成され、図３に示すように、基板２０上の各発光素子１１、１５の上方に対応した状態で、中ケース４の外側面に設けられている。
【００２３】
また、第１光学系１０ａの第１導光部１３と第２光学系１０ｂの第１導光部１７とは、図４に示すように、１枚の連結板２２に一体に形成され、図３に示すように、上部ケース２内の下面に第１窓部８ａ、８ｂに対応して設けられている。同様に、第１光学系１０ａの第２導光部１４と第２光学系１０ｂの第２導光部１８とは、図４に示すように、１枚の連結板２３に一体に形成され、図３に示すように、下部ケース３内の側面に第２窓部９ａ、９ｂに対応して設けられている。
【００２４】
ところで、第１光学系１０ａの光学素子１２は、図４に示すように、アクリル樹脂などの透明な合成樹脂からなる柱状部材２４の内部に、反射面２６を形成するための空間部２５を設けた構成になっている。すなわち、柱状部材２４は、ほぼ四角形の角柱状に形成され、その中心軸に沿う下端面が入射面２４ａに形成されていると共に、中心軸に沿う上端面が出射面２４ｂに形成されている。この柱状部材２４は、その下端面の下側に発光素子１１が配置され、この発光素子１１で発光した光を下端部の入射面２４ａから採り込むように構成されている。
【００２５】
また、この柱状部材２４内の空間部２５は、図３〜図８に示すように、第２窓部９ａに対して反対側に位置する柱状部材２４の背面（図４では右側面）から柱状部材２４の内部に向けて設けられたほぼ楔形状の穴である。この空間部２５の下面には、ほぼ４５度の角度で傾斜する反射面２６が形成されている。
【００２６】
これにより、第１光学系１０ａの光学素子１２は、図９（ａ）および図９（ｂ）に示すように、発光素子１１の光を柱状部材２４の下端面の入射面２４ａから採り込み、この採り込んだ光の一部を空間部２５の反射面２６によって柱状部材２４の中心軸に対してほぼ直交する方向に向けて反射し、この反射した光を第２窓部９ａ側に位置する柱状部材２４の一側面である前面２４ｃ（図４では左側面）から第２窓部９ａに向けて放出すると共に、反射面２６で反射されない光を上端面の出射面２４ｂから上方に向けて放出するように構成されている。
【００２７】
この場合、柱状部材２４は、その入射面２４ａから採り込んだ光量のうち、ほぼ半分の光量を空間部２５の反射面２６で反射し、この反射面２６で反射されない残りの光量を出射面２４ｂから放出するように構成されている。すなわち、この空間部２５は、図７に示すように、その左右方向の長さが柱状部材２４の左右方向の長さのほぼ半分の長さで、前後方向（図７では上下方向）の長さが柱状部材２４の前後方向（図７では上下方向）の長さのほぼ半分の長さに形成されている。
【００２８】
また、柱状部材２４の下端面の下側に配置された発光素子１１は、図７に示すように、柱状部材２４を真上から見た際に、発光素子１１の発光面１１ａの中心部が空間部２５の反射面２６の領域内に少し食い込む程度に位置することにより、発光素子１１の発光面１１ａのほぼ半分の面積が反射面２６に対応する状態で、柱状部材２４の入射面２４ａの下側に配置されている。
【００２９】
また、この柱状部材２４は、図４〜図６に示すように、空間部２５よりも上側に位置する上部の断面積が、その下部の断面積よりも小さく形成されている。このため、柱状部材２４は、空間部２５よりも上側に位置する上部とその下部との境界部分にそれぞれ傾斜面２７が形成されている。この傾斜面２７は、柱状部材２４の内部に形成された空間部２５の周囲を通過した光の一部が照射され、この照射された光を断面積の小さい柱状部材２４の上部に向けて反射するように構成されている。
【００３０】
さらに、この柱状部材２４は、図４および図８に示すように、その下端面の入射面２４ａにおける第２窓部９ａ側に位置する前側部（図８では左側部）、つまり空間部２５よりも第２窓部９ａ側に位置する柱状部材２４の前側部に対応する部分に、発光素子１１の上面に向けて突出した突出部２８が設けられた構成になっている。この突出部２８は、発光素子１１の発光面１１ａに接近して配置されることにより、発光素子１１で発光した光の一部を効率良く採り込み、この採り込んだ光をその上方に位置する傾斜面２７に向けて導くように構成されている。
【００３１】
一方、第１光学系１０ａの第１導光部１３は、柱状部材２４と同様、アクリル樹脂などの透明な合成樹脂からなり、図３〜図６に示すように、下面が広く上面に向かうに従って次第に狭くなるほぼ四角錐形状に形成され、その下面の入射面１３ａが光学素子１２の柱状部材２４の出射面２４ｂに対応し、上面の出射面１３ｂが上部ケース２の第１窓部８ａに対応するように構成されている。
【００３２】
これにより、第１導光部１３は、図３〜図９に示すように、発光素子１１の光が柱状部材２４の出射面２４ｂから放出された際に、その放出された光を下面の入射面１３ａから取り込み、この取り込んだ光を上面の出射面１３ｂに導き、この導いた光を出射面１３ｂから上部ケース２の第１窓部８ａに向けて放出し、この放出した光で第１窓部８ａを光らせるように構成されている。
【００３３】
また、第１光学系１０ａの第２導光部１４は、第１導光部１３と同様、アクリル樹脂などの透明な合成樹脂からなり、図３〜図８に示すように、光学素子１２側に位置する右側面が広く、下部ケース３の第２窓部９ａ側に位置する左側面に向かうに従って次第に狭くなるほぼ横向きの四角錐形状に形成され、その右側面の入射面１４ａが光学素子１２の柱状部材２４における反射面２６に対応し、左側面の出射面１４ｂが下部ケース３の第２窓部９ａに対応するように構成されている。
【００３４】
これにより、第２導光部１４は、図３および図９に示すように、発光素子１１の光が柱状部材２４内の反射面２６で反射されて柱状部材２４の前面２４ｃ（図４では左側面）から放出された際に、その放出された光を右側面の入射面１４ａから取り込み、この取り込んだ光を左側面の出射面１４ｂに導き、この導いた光を出射面１４ｂから下部ケース３の第２窓部９ａに向けて放出し、この放出した光で第２窓部９ａを光らせるように構成されている。
【００３５】
ところで、第２光学系１０ｂは、図３〜図９に示すように、発光素子１５、光学素子１６、第１導光部１７、第２導光部１８の各設置位置が第１光学系１０ａと異なる構成であり、これ以外は第１光学系１０ａと同じ構成になっている。すなわち、光学素子１６は、上部ケース２の第１窓部８ｂと下部ケース３の第２窓部９ｂとに対応して配置されている。発光素子１５は、光学素子１６の柱状部材２４における下端部の入射面２４ａの下側に配置されている。
【００３６】
この場合、発光素子１５は、図７に示すように、柱状部材２４を真上から見た際に、発光素子１５の発光面１５ａの中心部が空間部２５の反射面２６の領域内に少し食い込む程度に位置することにより、発光素子１５の発光面１５ａのほぼ半分の面積が反射面２６に対応するように配置されている。第１導光部１７は、光学素子１６の柱状部材２４の出射面２４ｂと上部ケース２の第１窓部８ｂとの間に配置されている。第２導光部１８は、光学素子１６の柱状部材２４における空間部２５の反射面２６に対応する柱状部材２４の前面２４ｃと下部ケース３の第２窓部９ｂとの間に配置されている。
【００３７】
次に、このような光学装置１０を機器ケース１内に組み付ける場合について説明する。
まず、機器ケース１の中ケース４に、第１、第２の各光学系１０ａ、１０ｂの各発光素子１１、１６と第１、第２の各光学系１０ａ、１０ｂの各光学素子１２、１６とを取り付ける。このときには、中ケース４の下面に基板２０を下部ケース３内の側面に向けて延出させて取り付け、この基板２０の延出された部分に、各発光素子１１、１５を取り付ける。
【００３８】
また、中ケース４の外側面に各光学素子１２、１６を各発光素子１１、１５に対応させた状態で取り付ける。このときには、各光学素子１２、１６の各柱状部材２４における各上端面の各出射面２４ｂを、上部ケース２の上面の各第１窓部８ａ、８ｂに対応させると共に、各光学素子１２、１５の各柱状部材２４内に形成された各空間部２５の各反射面２６に対向する柱状部材２４の前面２４ｃを、下部ケース３の側面の各第２窓部９ａ、９ｂに対応させる。この状態で、各光学素子１２、１６を中ケース４の外側面に取り付ける。
【００３９】
この状態では、各発光素子１１、１５が各光学素子１２、１６の各柱状部材２４における各下端面の各入射面２４ａに対応する。すなわち、各発光素子１１、１５の各発光面１１ａ、１５ａにおける各中心部が、図７に示すように、各柱状部材２４を真上から見た際に、各発光素子１１、１５の各発光面１１ａ、１５ａの中心部が、各空間部２５の各反射面２６の領域内に少し食い込む程度に位置する。これにより、各発光素子１１、１５の各発光面１１ａ、１５ａのほぼ半分の面積が各反射面２６に対応する状態で、各柱状部材２４の各入射面２４ａの下側に配置される。
【００４０】
また、このときには、図８に示すように、各柱状部材２４の下端面の各入射面２４ａにおける各第２窓部９ａ、９ｂ側に位置する各前側部（図８では左側部）、つまり各空間部２４よりも各第２窓部９ａ、９ｂ側に位置する各柱状部材２４の前側部に対応する各部分に設けられた各突出部２８が、各発光素子１１、１５の各発光面１１ａ、１５ａに向けてそれぞれ接近して配置される。
【００４１】
次いで、上部ケース２の内部における下面に各第１導光部１３、１７を取り付ける。このときには、図３に示すように、各第１導光部１３、１７の各出射面１３ｂ、１７ｂを上部ケース２の上面に設けられた表示パネル７ａの各第１窓部８ａ、８ｂに対応させ、この状態で各第１導光部１３、１７を上部ケース２の内部における下面に取り付ける。
【００４２】
同様に、下部ケース３の内部における側面に各第２導光部１４、１８を取り付ける。このときには、図３に示すように、各第２導光部１４、１８の各出射面１４ｂ、１８ｂを下部ケース３の側面に設けられた各第２窓部９ａ、９ｂに対応させ、この状態で各第２導光部１４、１８を下部ケース３の内部における側面に取り付ける。
【００４３】
そして、上部ケース２、下部ケース３、および中ケース４を組み付ける。このときには、まず、下部ケース３内に中ケース４を取り付け、この後、下部ケース３に上部ケース２を取り付ける。このとき、下部ケース３内に中ケース４を取り付ける際には、下部ケース２に取り付けられた各第２導光部１４、１８の各入射面１４ａ、１８ａと、中ケース４に取り付けられた各光学素子１２、１６における各柱状部材２４内に設けられた各空間部２５の各反射面２６とを対応させ、この状態で下部ケース３内に中ケース４を取り付ける。
【００４４】
また、下部ケース３に上部ケース２を取り付ける際には、下部ケース３に取り付けられた中ケース４の各光学素子１２、１６における各柱状部材２４の各出射面２４ｂと、上部ケース２に設けられた各第１導光部１３、１７の各入射面１３ａ、１７ａとを対応させて、この状態で下部ケース３に上部ケース２を取り付ける。これにより、機器ケース１が組み立てられると共に、この機器ケース１内に光学装置１０が同時に組み付けられる。
【００４５】
このときには、光学装置１０を光学素子１２、１６、第１導光部１３、１７、第２導光部１４、１８の３つのパーツに分けて組み立てることができるので、組立精度に多少のバラツキがあっても、その組立精度のバラツキによる影響が少なく、光学装置１０の光路を良好に確保して、光学装置１０を機器ケース１内に精度良く組み立てることができる。このため、上部ケース２、下部ケース３、および中ケース４に防滴構造を採用して、機器ケース１を良好に組み立てることができる。
【００４６】
次に、このように組み立てられた携帯情報端末機における光学装置１０の作用について説明する。
まず、第１、第２の光学系１０ａ、１０ｂのうち、例えば第１光学系１０ａの発光素子１１を発光させた場合には、その発光素子１１で発光した光が光学素子１２の柱状部材２４の入射面２４ａから柱状部材２４内に採り込まれる。
【００４７】
そして、柱状部材２４内に採り込まれた光のうち、柱状部材２４内に設けられた空間部２５の反射面２６に到達した光は、図９（ａ）に示すように、この反射面２６で柱状部材２４の中心軸に対して直交する方向に向けて反射され、この反射された光が第２窓部９ａ側に位置する柱状部材２４の前面から放出される。また、この反射面２６で反射されない光は、図９（ｂ）に示すように、柱状部材２４内をそのまま透過して柱状部材２４の上端部の出射面２４ｂから上方に放出される。
【００４８】
この場合、柱状部材２４の入射面２４ａのうち、突起部２８から入射した光は、図９（ａ）に示すように、その上方に位置する柱状部材２４の傾斜面２７に導かれ、この傾斜面２７で柱状部材２４の出射面２４ｂに向けて反射され、この反射された光が柱状部材２４の出射面２４ｂから上方に放出される。
【００４９】
また、柱状部材２４の入射面２４ａから採り込まれて空間部２５の両側部を通過した光の一部は、図９（ｂ）に示すように、その上方に位置する柱状部材２４の傾斜面２７に導かれ、この傾斜面２７で柱状部材２４の出射面２４ｂに向けて反射され、この反射された光が柱状部材２４の出射面２４ｂから上方に放出される。
【００５０】
このように、光学素子１１の柱状部材２４の出射面２４ｂから放出された光は、上部ケース２に取り付けられた第１導光部１３の入射面１３ａから採り込まれ、この採り込まれた光が第１導光部１３の出射面１３ｂに導かれ、この導かれた光が第１導光部１３の出射面１３ｂから放出され、この放出された光が上部ケース２の第１窓部８ａに照射されて第１窓部８ａを光らせる。
【００５１】
これと同時に、柱状部材２４内に設けられた空間部２５反射面２６で柱状部材２４の中心軸に対して直交する方向に向けて反射されて、第２窓部９ａ側に位置する柱状部材２４の前面２４ｃから放出された光は、下部ケース３に取り付けられた第２導光部１４の入射面１４ａから採り込まれ、この採り込まれた光が第２導光部１４の出射面１４ｂに導かれ、この導かれた光が第２導光部１４の出射面１４ｂから放出され、この放出された光が下部ケース３の第２窓部９ａに照射されて第２窓部９ａを光らせる。
【００５２】
これにより、機器ケース１に設けられたインジケータ表示部７のうち、上部ケース２の上面に設けられた第１窓部８ａと、下部ケース３の側面に設けられた第２窓部９ａとが、同時に点灯し、携帯情報端末機の動作状態を知らせることができる。この場合、第２光学系１０ｂも、その発光素子１５が発光すると、第１光学系１０ａと同様、機器ケース１のインジケータ表示部７のうち、上部ケース２の上面に設けられた第１窓部８ｂと、下部ケース３の側面に設けられた第２窓部９ｂとを、同時に点灯させて、携帯情報端末機の動作状態を知らせることができる。
【００５３】
このように、この携帯情報端末機における光学装置１０の光学素子１２、１６によれば、中心軸に沿う一端側に位置する入射面２４ａから光を採り込み、この採り込んだ光を中心軸に沿う他端側に位置する出射面２４ｂから放出する柱状部材２４と、この柱状部材２４の内部に設けられ、入射面２４ａから入射した光の一部を中心軸に対してほぼ直交する方向に向けて反射する反射面２６を形成するための空間部２５と、を備えていることにより、簡単な構造で、効率良く光を２方向に分光させて、所定箇所を良好に光らせることができる。
【００５４】
すなわち、この光学素子１２、１６では、柱状部材２４の入射面２４ａから採り込んだ光の一部を柱状部材２４の内部に形成された空間部２５の反射面２６によって柱状部材２４の中心軸に対してほぼ直交する方向に反射させて柱状部材２４の前面２４ｃから放出させることができると共に、反射面２６で反射されない残りの光を空間部２５の周囲に位置する部分の柱状部材２４の内部を通して出射面２４ｂから放出させることができる。このため、柱状部材２４の内部に反射面２６を形成する空間部２５を形成するだけの簡単な構造で、効率良く光を２方向に分光させて、所定の２箇所を良好に光らせることができる。
【００５５】
この場合、空間部２５の反射面２６は、柱状部材２４の入射面２４ａから入射した光量のうち、ほぼ半分の光量を反射し、柱状部材２４は、反射面２６で反射されない残りの光量を出射面２４ｂから放出する構成であるから、柱状部材２４内に採り込んだ光を効率良く２方向にほぼ同じ光量で分光することができ、これにより異なる所定の２箇所の第１、第２の各窓部８ａ、８ｂ、９ａ、９ｂをほぼ同じ輝度で良好に光らせることができる。この場合、空間部２５によって形成される反射面２６の位置や面積を変えることにより、第１、第２の各窓部８ａ、８ｂ、９ａ、９ｂの各輝度を、その用途に応じて自由に変えることができる。
【００５６】
また、この携帯情報端末機によれば、上面に第１窓部８ａ、８ｂが設けられ、この上面と直交する側面に第２窓部９ａ、９ｂが設けられた機器ケース１と、この機器ケース１内に第１窓部８ａ、８ｂと第２窓部９ａ、９ｂとに対応して配置された光学素子１２、１５と、機器ケース１内に設けられて光学素子１２、１６の各入射面２４ａに光を照射する発光素子１１、１５とを備え、光学素子１２、１６の入射面２４ａから採り込んだ光のうち、光学素子１２、１６内に設けられた空間部２５の反射面２６で反射された光を第２窓部９ａ、９ｂに照射させ、その残りの光を光学素子１２、１６の出射面２４ｂから放出された光を第１窓部８ａ、８ｂに照射させる構成であるから、機器ケース１の第１、第２の各窓部８ａ、８ｂ、９ａ、９ｂを良好に光らせることができる。
【００５７】
この場合にも、各光学素子１２、１６は、それぞれ柱状部材２４の入射面２４ａから採り込んだ光の一部を柱状部材２４の内部に形成された空間部２５の反射面２６によって柱状部材２４の中心軸に対してほぼ直交する方向に反射させて柱状部材２４の前面２４ｃから放出させることができると共に、反射面２６で反射されない残りの光を空間部２５の周囲に位置する部分の柱状部材２４の内部を通して出射面２４ｂから放出させることができる。このため、柱状部材２４の内部に反射面２６を形成する空間部２５を形成するだけの簡単な構造で、効率良く光を２方向に分光させて、機器ケース１の第１、第２の各窓部８ａ、８ｂ、９ａ、９ｂを良好に光らせることができる。
【００５８】
また、機器ケース１は、第１窓部８ａ、８ｂが上面に設けられた上部ケース２と、この上部ケース２の下部に取り付けられて第２窓部９ａ、９ｂが側面に設けられた下部ケース３と、上部ケース２および下部ケース３の内部に設けられた中ケース４とを備え、この中ケース４に発光素子１１、１５および光学素子１２、１６が設けられていることにより、下部ケース３に中ケース４を組み付ける際に、光学素子１２、１６の各柱状部材２４の各反射面２６を下部ケース３の第２窓部９ａ、９ｂに対応させ、また下部ケース３に上部ケース２を組み付ける際に、光学素子１２、１６の各柱状部材２４の各出射面２４ｂを上部ケース２の第１窓部８ａ、８ｂに対応させることにより、上部ケース２、下部ケース３、中ケース４を容易に組み付けることができる。
【００５９】
この場合、上部ケース２の内部には、光学素子１２、１６における各柱状部材２４の各出射面２４ｂから放出された光を第１窓部８ａ、８ｂに導く第１導光部１３、１７が配置されており、下部ケース３の内部には、光学素子１２、１６における各柱状部材２４の各反射面２６で反射された光を第２窓部９ａ、９ｂに導く第２導光部１４、１８が配置されているので、発光素子１１、１５で発光して光学素子１２、１６で導かれて放出された光を、第１、第２の各導光部１３、１７、１４、１８によって第１、第２の各窓部８ａ、８ｂ、９ａ、９ｂに確実に導いて良好に光らせることができる。
【００６０】
すなわち、光学素子１２、１６の各柱状部材２４の各出射面２４ｂか放出される光を第１導光部１３、１７によって上部ケース２の第１窓部８ａ、８ｂに確実に且つ良好に導くことができる共に、光学素子１２、１６の各柱状部材２４の各反射面で反射された光を第２導光部１４、１８によって下部ケース３の第２窓部９ａ、９ｂに確実に且つ良好に導くことができる。
【００６１】
この場合、光学装置１０を光学素子１２、１６、第１導光部１３、１７、第２導光部１４、１８の３つのパーツに分けて、それぞれ独立して組み立てることができるので、組立精度に多少のバラツキがあっても、その組立精度のバラツキによる影響が少なく、光学装置１０の光路を良好に確保して、機器ケース１を精度良く組み立てることができる。
【００６２】
このため、機器ケース１が上部ケース２、下部ケース３、中ケース４で構成されていても、上部ケース２、下部ケース３、中ケース４を容易に組み付けて、機器ケース１を良好に組み立てることができる。また、上部ケース２、下部ケース３、および中ケース４にそれぞれ防滴構造を採用しても、光学装置１０の光路を良好に確保した状態で、機器ケース１を良好に組み立てることができる。
【００６３】
このように、光学装置１０を光学素子１２、１６、第１導光部１３、１７、第２導光部１４、１８の３つのパーツに分けて、光学素子１２、１６、第１導光部１３、１７、第２導光部１４、１８を上部ケース２、下部ケース３、中ケース４に分散させて取り付けているので、機器ケース１が落下などの衝撃を受けた際に、その衝撃を分散することができ、これにより衝撃力の集中による光学素子１２、１６の破損を防ぐことができる。
【００６４】
（実施形態２）
次に、図１０〜図１２を参照して、この発明を携帯情報端末機に適用した実施形態２について説明する。なお、図１〜図９に示された実施形態１と同一部分には同一符号を付して説明する。
この携帯情報端末機は、図１０に示すように、光学素子１２、１６の各柱状部材２４の各出射面２４ｂと第１導光部１３、１７の各入射面１３ａ、１７ａとの間に第１光学ゲル３０を配置し、光学素子１２、１６における各柱状部材２４の各反射面２６で反射された光が放出される箇所に位置する各柱状部材２４の前面２４ｃと第２導光部１４、１８の各入射面１４ａ、１８ａとの間に第２光学ゲル３１を配置した構成になっている。
【００６５】
この場合、第１、第２の各光学ゲル３０、３１は、それぞれ光透過性を有するゲルからなり、所定の厚みを有するシート状に形成されている。第１光学ゲル３０は、図１０および図１１に示すように、その下面が光学素子１２、１６の各柱状部材２４の各出射面２４ｂに弾力的に密着し、上面が第１導光部１３、１７の各下端面である各入射面１３ａ、１７ａに弾力的に密着することにより、光学素子１２、１６の各柱状部材２４の各出射面２４ｂと第１導光部１３、１７の各入射面１３ａ、１７ａとの間に空気層が発生しないように配置されている。
【００６６】
同様に、第２光学ゲル３１は、図１０および図１２に示すように、光学素子１２、１６側に位置する右側面が、光学素子１２、１６の各柱状部材２４の各反射面２６で反射された光が放出される箇所に位置する各柱状部材２４の前面２４ｃに弾力的に密着し、第２窓部９ａ、９ｂ側に位置する左側面が、第２導光部１４、１８の各右側面である各入射面１４ａ、１８ａに弾力的に密着することにより、光学素子１２、１６の各柱状部材２４の各前面２４ｃと第２導光部１４、１８の各入射面１４ａ、１８ａとの間に空気層が発生しないように配置されている。
【００６７】
このような携帯情報端末機においても、実施形態１と同様の作用効果があるほか、光学素子１２、１６における柱状部材２４の出射面２４ｂと第１導光部１３、１７との間に、光透過性を有する第１光学ゲル３０が配置されており、光学素子１２、１６における柱状部材２４の反射面２６で反射された光が放出される箇所に位置する柱状部材２４の前面２４ｃと第２導光部１４、１８との間に、光透過性を有する第２光学ゲル３１が配置されているので、実施形態１よりも、より一層、効率良く且つ明るく第１、第２の各窓部８ａ、８ｂ、９ａ、９ｂを光らせることができる。
【００６８】
すなわち、第１光学ゲル３０は、その下面が光学素子１２、１６の各柱状部材２４の各出射面２４ｂに弾力的に密着し、上面が第１導光部１３、１７の各下端面である各入射面１３ａ、１７ａに弾力的に密着することにより、光学素子１２、１６の各柱状部材２４の各出射面２４ｂと第１導光部１３、１７の各入射面１３ａ、１７ａとの間に空気層が発生しないように配置されているので、光学素子１２、１６の各柱状部材２４の各出射面２４ｂから放出された光を、効率良く且つ確実に第１導光部１３、１７に入射させて第１窓部８ａ、８ｂを明るく光らせることができる。
【００６９】
また、第２光学ゲル３１は、光学素子１２、１６側に位置する右側面が、光学素子１２、１６の各柱状部材２４の各反射面２６で反射された光が放出される箇所に位置する各柱状部材２４の前面２４ｃに弾力的に密着し、第２窓部９ａ、９ｂ側に位置する左側面が、第２導光部１４、１８の各右側面である各入射面１４ａ、１８ａに弾力的に密着することにより、光学素子１２、１６の各柱状部材２４の各前側面と第２導光部１４、１８の各入射面１４ａ、１８ａとの間に空気層が発生しないように配置されているので、光学素子１２、１６の各柱状部材２４の各反射面２６で反射された光を、効率良く且つ確実に第２導光部１４、１８に入射させて第２窓部９ａ、９ｂを明るく光らせることができる。
【００７０】
なお、上述した実施形態１、２では、携帯情報端末機に適用した場合について述べたが、必ずしも携帯情報端末機である必要はなく、例えば携帯電話機、電子辞書、携帯型の音楽プレーヤなどの各種の携帯機器、あるいはパーソナルコンピュータなどの電子機器に広く適用することができる。
【符号の説明】
【００７１】
１  機器ケース
２  上部ケース
３  下部ケース
４  中ケース
７  インジケータ表示部
８ａ、８ｂ  第１窓部
９ａ、９ｂ  第２窓部
１０  光学装置
１１、１５  発光素子
１２、１６  光学素子
１３、１７  第１導光部
１３ａ、１７ａ  入射面
１３ｂ、１７ｂ  出射面
１４、１８  第２導光部
１４ａ、１８ａ  入射面
１４ｂ、１８ｂ  出射面
２４  柱状部材
２４ａ  入射面
２４ｂ  出射面
２４ｃ  前面
２５  空間部
２６  反射面
３０  第１光学ゲル
３１  第２光学ゲル
【図１】
0005780410.tif 000002
【図２】
0005780410.tif 000003
【図３】
0005780410.tif 000004
【図４】
0005780410.tif 000005
【図５】
0005780410.tif 000006
【図６】
0005780410.tif 000007
【図７】
0005780410.tif 000008
【図８】
0005780410.tif 000009
【図９】
0005780410.tif 000010
【図１０】
0005780410.tif 000011
【図１１】
0005780410.tif 000012
【図１２】
0005780410.tif 000013